(57)【要約】      （修正有）【課題】簡単かつ安全な作業により無停電で取替ができるＣＴ付電力量計の無停電取替工具を提供する。【解決手段】電線ガイド部材１と蓋部材２とを備えており、電線ガイド部材１は間隔をあけて並列に電線の本数と対応する電流線２１ａ〜２１ｄと電圧線２２ａ〜２２ｃを合わせたガイド部３ａを有しており、電流線２１ａ〜２１ｄに対応するガイド部３ａには位置決め手段４が設けてある。蓋部材２は電線ガイド部材１とガイド部３ａをすべて覆うものであり、電線ガイド部材１に嵌合した状態でも電線２１ａ〜２１ｄ，２２ａ〜２２ｃの抜き差しが自在であり、蓋部材２の外周部には電流線２１ａ〜２１ｄを配置するガイド部３ａのある位置に通電部７ａ〜７ｄが設けてある。電線ガイド部材１及び蓋部材２の外周部のガイド部３ａが配置される箇所には、各電線２１ａ〜２１ｄ，２２ａ〜２２ｃに割り振られた固有の識別手段５と共通する識別手段５がそれぞれ配置してある。【選択図】図１
2017053722.tif 000002
【特許請求の範囲】
【請求項１】
四本の電流線と三本の電圧線を接続するＣＴ付電力量計の無停電取替工具であって、
電線ガイド部材と蓋部材とを備えており、電線ガイド部材は、間隔をあけて並列に電線の本数と対応する電流線と電圧線を合わせた七つのガイド部を有しており、少なくとも電流線に対応するガイド部には、位置決め手段が設けてあり、ガイド部は、計器用変成器からＣＴ付電力量計に接続する各電流線と各電圧線を一線ごとに間隔をあけて並列に保持するものであり、蓋部材は、電線ガイド部材と各ガイド部をすべて覆うものであり、電線ガイド部材に嵌合した状態でも電線の抜き差しが自在であり、蓋部材の外周部には電流線を配置するガイド部のある位置に通電部が設けてあり、通電部は、ガイド部を通して位置決め手段で位置決めされた電流線の被覆を貫く接続端子を有するとともに、通電部同士を接続するバイパスケーブルが取り付け可能であり、各ガイド部と、電線ガイド部材及び蓋部材の外周部における各ガイド部が配置される箇所には、各電流線と各電圧線に割り振られた固有の識別手段と共通する識別手段がそれぞれ配置してあることを特徴とするＣＴ付電力量計の無停電取替工具。
【発明の詳細な説明】
【技術分野】
【０００１】
本発明は、ＣＴ付電力量計を無停電で既設のものから新設のものに取り換えるときに使用するＣＴ付電力量計の無停電取替工具に関するものである。
【背景技術】
【０００２】
ＣＴ付電力量計は、電力量を常に誤作動無く正常に計量することが求められており、５年又は７年程度の周期で新規のものに交換されている。通常の電力量計の交換作業では、電力使用者の負担を無くすことを目的として無停電で行うために、電力量計に接続してある電線をバイパス接続することによって、電力量計を介さずに回路を構成する手法がとられていた。
【先行技術文献】
【特許文献】
【０００３】
【特許文献１】特開２００６−１７０７８７号公報
【発明の開示】
【発明が解決しようとする課題】
【０００４】
上記したＣＴ付電力量計の交換作業にあっては、前述のＣＴ付電力量計が計器用変成器に接続されていることから、電源側と負荷側を繋ぐ回路に直接組み込まれていない。このことから、無停電の状態でＣＴ付電力量計を取り外した場合でも、電源側と負荷側を繋ぐ回路を切断するものではない。しかしながら、電流線がバイパスされていない状況では、ＣＴ付電力量計を無停電で取り外すと計器用変成器が焼損してしまう恐れがあることから、現実的に無停電でＣＴ付電力量計を交換するには、電流線をバイパス接続しなければならなかった。さらに、ＣＴ付電力量計は、通常の電力量計と比較して接続される電線が細く、しかも、各電線間の距離が短いこともあり、バイパス接続の方法を踏襲した一般的な計器の無停電取替工法を用いたとしても、ＣＴ付電力量計から電線を取り外す、または再接続するときに、電圧線同士が接触して事故につながる恐れがあった。
【０００５】
本発明は上記課題を鑑みてなされたものであり、簡単かつ安全な作業により無停電で取替ができるＣＴ付電力量計の無停電取替工具を提供することにある。
【課題を解決するための手段】
【０００６】
本発明は、四本の電流線と三本の電圧線を接続するＣＴ付電力量計の無停電取替工具であって、電線ガイド部材と蓋部材とを備えており、電線ガイド部材は、間隔をあけて並列に電線の本数と対応する電流線と電圧線を合わせた七つのガイド部を有しており、少なくとも電流線に対応するガイド部には、位置決め手段が設けてあり、ガイド部は、計器用変成器からＣＴ付電力量計に接続する各電流線と各電圧線を一線ごとに間隔をあけて並列に保持するものであり、蓋部材は、電線ガイド部材と各ガイド部をすべて覆うものであり、電線ガイド部材に嵌合した状態でも電線の抜き差しが自在であり、蓋部材の外周部には電流線を配置するガイド部のある位置に通電部が設けてあり、通電部は、ガイド部を通して位置決め手段で位置決めされた電流線の被覆を貫く接続端子を有するとともに、通電部同士を接続するバイパスケーブルが取り付け可能であり、各ガイド部と、電線ガイド部材及び蓋部材の外周部における各ガイド部が配置される箇所には、各電流線と各電圧線に割り振られた固有の識別手段と共通する識別手段がそれぞれ配置してあることを特徴とする。
【発明の効果】
【０００７】
本発明によれば、ＣＴ付電力量計に接続している電流線と電圧線をあわせた七本の電線にそれぞれ固有の識別手段が設けてあり、さらに、各ガイド部と電線ガイド部材又は蓋部材の外周部における各ガイド部の配置される箇所には、前述の七本の電線のそれぞれに固有に設けられた識別手段と共通した識別手段が設けてある。そして、七本の電線を識別手段が一致する電線ガイド部材の各ガイド部にそれぞれ配置し、さらに、電線ガイド部材に蓋部材を被せて嵌合することにより、各電線を電線ガイド部材に間隔をあけて通すことができる。また、蓋部材の外周部に設けてある通電部を押圧することにより、電流線が通された箇所は、通電部の接続端子が被覆を破って電流線に接触し、通電部にバイパスケーブルを接続することにより、電流線のみがバイパスされる。このときに、各電流線のガイド部に位置決め部を有することで、各電流線がガイド部の所定の位置に位置決めされ、通電部が電流線を押圧する際、電流線の軸芯近くに接続端子を確実に接触させることができて、ガイド部材に電流線を固定できる。これにより、七本の電線のうち、電流線は上記のように接続端子で固定され、電圧線のみが抜き差し可能な状態でガイドされていることから、電流線を誤って引き抜くことなく、電圧線のみを先に取り外すことができるので、ＣＴ付電力量計から電線を取り外すときの電圧線同士の接触を防ぐことができるようになる。また、ＣＴ付電力量計を交換して電線を再び接続するときにおいても、電圧線を対応する固有の識別手段が設けてあるガイド部に通してＣＴ付電力量計に接続することで、ＣＴ付電力量計に再接続するときの電線の誤接続を防ぎ、さらには、電圧線同士の接触を防ぐことができる。このようにすると、電力使用者への負担なく無停電で安全にＣＴ付電力量計の交換を行うことができるとともに、無停電でのＣＴ付電力量計の交換に伴う計器用変成器の焼損を防ぐことができる。
【図面の簡単な説明】
【０００８】
【図１】本実施によるＣＴ付電力量計の無停電取替工具の使用状態を示す斜視図である。
【図２】本実施によるＣＴ付電力量計の無停電取替工具の詳細構造を示す（ａ）は、各ガイド部の配置状態と位置決め手段を示す図であり、（ｂ）は、蓋部材の各通電部の配置状態を示す図であり、（ｃ）は、蓋部材を開けて電線ガイド部材に配置された各ガイド部を開放した状態を示す図である。
【図３】（ａ）は、本実施によるＣＴ付電力量計の無停電取替工具の各ガイド部に電流線と電圧線を配置した状態を示す図であり、（ｂ）は、（ａ）中Ａ−Ａ線を断面して接続端子と電流線との接続状態を示す図である。
【図４】（ａ）〜（ｃ）は、本実施によるＣＴ付電力量計の無停電取替工具の使用手順を示す図である。
【図５】（ａ）は、電圧線をＣＴ付電力量計から取り外した状態を示す図であり、（ｂ）は、ＣＴ付電力量計から電流線を取り外した状態を示す図である。
【発明を実施するための最良の形態】
【０００９】
以下、本発明のＣＴ付電力量計２０の無停電取替工具の実施形態を図面に基づいて説明する。
ここで、本実施によるものは、四本の電流線（電線）２１ａ〜２１ｄと三本の電圧線（電線）２２ａ〜２２ｃを接続している既設のＣＴ付電力量計２０を新規のものに取り換える作業に使用するものである。本実施によるＣＴ付電力量計２０の無停電取替工具は、図１と図２（ａ）〜（ｃ）に示すように、電線ガイド部材１と蓋部材２とを備えており、電線ガイド部材１と蓋部材２は、一側部に設けた開閉連結部６によって互いを開閉自在に設けてある。また、閉塞した状態の電線ガイド部材１と蓋部材２は、ロック１２とロック受け１２ａでロックすることにより、不意に開かない構造となっている。
【００１０】
電線ガイド部材１は、図２（ａ）〜（ｃ）に示すように、その全体が横に長いブロック状をなしており、蓋部材２と対面する側面には、断面ほぼ矩形の溝状をなすガイド溝（ガイド部）３ａ〜３ｇが間隔をあけて七箇所に設けてある。各ガイド溝３ａ〜３ｇは、電流線２１ａ〜２１ｄの配置されるものの溝底がＶ溝になっており、電流線２１ａ〜２１ｄを配置したときに、ガイド溝の溝幅内で不用意にズレることなく位置決めできるようになっている。そして、図３（ａ）（ｂ）のように、七箇所のガイド溝３ａ〜３ｇのうち、図示を基準とする両側の各ガイド溝３ａ，３ｇと、左から四番目と五番目の各ガイド溝３ｄ，３ｅには、対応する電流線２１ａ〜２１ｄが配置される。また、その他の各ガイド溝３ｂ，３ｃ，３ｆには、電圧線２２ａ〜２２ｃが配置される。また、本実施による電線ガイド部材１は、七本の各ガイド溝３ａ〜３ｇにそれぞれが異なる配色（図２（ｃ）を参照すれば、図示左から緑色、黒色、赤色、黄色、青色、白色、茶色）が識別手段５として施してある。
【００１１】
蓋部材は、図２（ａ）（ｂ）に示すように、上記した電線ガイド部材１とほぼ同一形状のブロック状に形成してある。また、蓋部材２の外周面には、各電流線２１ａ〜２１ｄが配置される四箇所に通電部７ａ〜７ｄをそれぞれ有している。通電部７ａ〜７ｄは、先端に接続端子８を有する押切ネジによってネジ孔１３を通して蓋部材２を貫通しており、その押切ネジを回すことによりネジ孔１３に沿って電線ガイド部材１と対面する側面から接続端子８を突出させる。また、接続端子８の先端部は、電流線２１ａ〜２１ｄの被覆を貫くことのできる形状をなしており、図３（ａ）（ｂ）に示すように、押切ネジを回すことで次第に電流線２１ａ〜２１ｄに差し込まれていく。そして、接続端子８が被覆を貫いたときには、被覆内の芯線と接触して電流線２１ａ〜２１ｄと通電状態となる。また、蓋部材２の側面には、電線ガイド部材１の七箇所の各ガイド溝３ａ〜３ｇと対応する箇所に、各ガイド溝３ａ〜３ｇと一致する色が配置してある。また、通電部７ａ〜７ｄには、図２（ｂ）のように、プラグ受け端子１４が設けてある。さらに、バイパスケーブル９の先端にはプラグ１０が設けてあり、上記のプラグ受け端子１４に対してバイパスケーブル９が抜き差し自在な状態で接続できる。そして、プラグ１０を通電部７ａ〜７ｄに差し込むことで、各通電部７ａ〜７ｄと通じる電流線２１ａ〜２１ｄ同士が通電して回路を形成する。尚、符号１５はバイパス識別部であり、バイパスケーブル９を接続する通電部７ａ〜７ｄ同士を同色に配色してあり、バイパスケーブル９の誤接続を防ぐものである。
【００１２】
上記のように形成するＣＴ付電力量計２０の無停電取替工具を取り付ける手順について、図４（ａ）〜（ｄ）に基づいて以下に説明する。
第一の手順として図４（ａ）のように、電線ガイド部材１と蓋部材２を開いた状態とし、電線ガイド部材１の七箇所の各ガイド溝３ａ〜３ｇにそれぞれがＣＴ付電力量計２０から延長する電流線２１ａ〜２１ｄと電圧線２２ａ〜２２ｃを配置する。このときに、本実施のものでは前述の七箇所のガイド溝３ａ〜３ｇのうち、図示左から１番目（緑色）３ａと、左から４番目（黄色）３ｄと５番目（青色）３ｅ、左から７番目（茶色）３ｇの四箇所に対し、色が対応する電流線２１ａ〜２１ｄをそれぞれ配置し、電線ガイド部材１の残りの三箇所の各ガイド溝３ｂ，３ｃ，３ｆに色の対応する各電圧線（黒色、赤色、白色）２２ａ〜２２ｃをそれぞれ配置する。
第二の手順として図４（ｂ）のように、蓋部材２を閉めて電線ガイド部材１との間に四本の電流線２１ａ〜２１ｄと三本の電圧線２２ａ〜２２ｃを囲む。その後、各通電部７ａ〜７ｄの接続端子８を締め込むことで各電流線２１ａ〜２１ｄの被覆を破り、それぞれが通電可能な状態となる。
第三の手順として、図４（ｃ）のように、緑色の電流線２１ａに対応した通電部７ａと茶色の電流線２１ｄに対応した通電部７ｄ、および黄色の電流線２１ｂに対応した通電部７ｂと青色の電流線２１ｃに対応した通電部７ｃのそれぞれに、バイパスケーブル９の両端にあるプラグ１０を差し込む。これにより、ＣＴ付電力量計とバイパスケーブル９のそれぞれを経由する並列の回路を形成する。
【００１３】
上記のように本無停電取替工具によってＣＴ付電力量計２０以外を経由する並列の回路を形成した後、図５（ａ）のように、各ガイド溝３ｂ，３ｃ，３ｆから三本の電圧線２２ａ〜２２ｃを抜き出し、各電圧線２２ａ〜２２ｃのそれぞれの電線端部に絶縁キャップ１１を嵌める。その後、図５（ｂ）のように、本実施によるＣＴ付電力量計２０の無停電取替工具に接続したまま各電流線２１ａ〜２１ｄをＣＴ付電力量計２０から取り外し電線端部に絶縁キャップ１１を嵌める。その後、図示は省略するが、既存のＣＴ付電力量計２０を外して、新規のＣＴ付電力量計２０を設置し、四本の電流線２１ａ〜２１ｄを本実施によるＣＴ付電力量計２０の無停電取替工具に接続したままの状態でＣＴ付電力量計２０に接続し、三本の電圧線２２ａ〜２２ｃを電線ガイド部材１へ識別手段５に対応するように挿入して新規のＣＴ付電力量計２０に接続する。最後に、本実施によるＣＴ付電力量計２０の無停電取替工具に接続されたバイパスケーブル９を取り外し、通電部７ａ〜７ｄの押切ネジを緩め、さらに、蓋部材２を空けて電線ガイド部材１の各ガイド溝３ａ〜３ｇに配置された電流線２１ａ〜２１ｄ、電圧線２２ａ〜２２ｃを開放し、各ガイド溝３ａ〜３ｇから電流線２１ａ〜２１ｄ、電圧線２２ａ〜２２ｃを取り出す。以上の各手順を完了することで、各電流線２１ａ〜２１ｄが本実施によるＣＴ付電力量計２０の無停電取替工具を経由する回路を形成することで、取替作業中も通電状態が確保される。
【００１４】
上記のように形成したＣＴ付電力量計２０の無停電取替工具は、以下に示す作用、効果を奏することになる。
ＣＴ付電力量計２０から延長する四本の電流線２１ａ〜２１ｄと三本の電圧線２２ａ〜２２ｃに配された色に基づき、電線ガイド部材１の対応する色（識別手段）に配色された各ガイド溝３ａ〜３ｇにそれぞれ配置することで、電流線２１ａ〜２１ｄと電圧線２２ａ〜２２ｃの作業者側での識別を簡単に行うことができる。また、電線ガイド部材１を蓋部材２で閉じ、蓋部材２に取り付けてある各通電部７ａ〜７ｄにそれぞれ有する接続端子８を締め込むことで、四本の電流線２１ａ〜２１ｄの被覆を破って芯線と接触する。これにより、通電部７ａ〜７ｄにバイパスケーブル９のプラグ１０を接続することにより、各電流線２１ａ〜２１ｄ間がバイパスケーブル９によって通電するので、ＣＴ付電力量計２０を経由せずに回路を形成することができる。したがって、電流線２１ａ〜２１ｄをＣＴ付電力量計２０から取り外しても、計器用変成器の焼損は防止でき、電力使用者側では無停電の状態を維持するので、取替作業中の停電を回避できる。さらに、少なくとも電流線２１ａ〜２１ｄを保持するガイド溝３ａ，３ｄ，３ｅ，３ｇには、位置決め手段４として溝底がＶ溝に形成してあることで、電流線２１ａ〜２１ｄの被覆を前述のＶ溝に挟み込むことができる。このことから、各ガイド溝３ａ，３ｄ，３ｅ，３ｇに配置した電流線２１ａ〜２１ｄが所定の位置に位置決めされるので、通電部７ａ〜７ｄの接続端子８が各電流線２１ａ〜２１ｄに押し込まれたときにも、ガイド溝３ａ，３ｄ，３ｅ，３ｇ内で不用意にズレることなく、しっかりと電流線２１ａ〜２１ｄの芯線まで接続端子８の先端が届いて接触する。また、ガイド溝３ｂ，３ｃ，３ｆに配置してある電圧線２２ａ〜２２ｃは、電線ガイド部材１と蓋部材２に囲まれた状態であっても簡単に抜き出すことができるので、あらかじめ電圧線２２ａ〜２２ｃのみを取り外しておけば、切断した電圧線２２ａ〜２２ｃの切断端部同士が触れることによる短絡事故を防いで安全性を確保できる。
【００１５】
本発明のＣＴ付電力量計２０の無停電取替工具は、上記の実施形態に限定されるものではなく、特許請求の範囲内で適宜変更できる。
また、電線ガイド部材１と蓋部材２は、上記実施形態では開閉連結部６により開閉可能な構造となっているが、電線ガイド部材１と蓋部材２を着脱自在にしたものでもよい。さらに、ガイド溝３ａ〜３ｇの位置決め手段４は、上記実施形態では溝底がＶ溝状のものを記載している。それ以外に、ガイド溝３ａ〜３ｇの全体を樋状に窪ませたものや、溝底を細かな凹凸のある粗面にして電流線２１ａ〜２１ｄを配置したときの摩擦抵抗を大きくしたものでもよく、被覆に接続端子８を押し込んだときに電流線２１ａ〜２１ｄがズレない構造であればよい。また、識別手段５は、上記実施形態では各電流線２１ａ〜２１ｄ、電圧線２２ａ〜２２ｃごとに配色を変えたものを記載しているが、それ以外に、各電流線２１ａ〜２１ｄ、電圧線２２ａ〜２２ｃごとに相違する模様やマーク、ＬＥＤや蛍光塗料等の発光手段によるものでもよい。通電部７ａ〜７ｄは、上記実施形態では押切ネジを使用しているが、あらかじめ接続端子８の先端部が蓋部材２から突出し、その蓋部材２を電線ガイド部材１側に閉じたときに電流線２１ａ〜２１ｄの被覆に刺さるもの等、電流線２１ａ〜２１ｄの被覆を円滑に貫いて芯線に接触できるものであればよい。
【符号の説明】
【００１６】
１  電線ガイド部材
２  蓋部材
３ａ〜３ｇ  ガイド溝（ガイド部）
４  位置決め手段
５  識別手段
６  開閉連結部
７ａ〜７ｄ  通電部
８  接続端子
９  バイパスケーブル
１０  プラグ
１１  絶縁キャップ
１２  ロック
１２ａ  ロック受け部
１３  ネジ孔
１４  プラグ受け端子
１５  バイパス識別部
２０  ＣＴ付電力量計
２１ａ〜２１ｄ  電流線（電線）
２２ａ〜２２ｃ  電圧線（電線）
【図１】
2017053722.tif 000003
【図２】
2017053722.tif 000004
【図３】
2017053722.tif 000005
【図４】
2017053722.tif 000006
【図５】
2017053722.tif 000007